(57)【要約】【課題】多様な色彩のバリエーションを実現するとともに、視覚的に優れた美観を発揮するガラス置物を提供する。【解決手段】ガラス置物１００は、無色透明のガラス部材からなり、内部に三次元オブジェ１０３が形成されている本体部１０２と、有色のガラス部材を含み、本体部１０２の下方に本体部１０２と接合一体化されてなる土台部１０１とを備え、本体部１０２と土台部１０１との間の接合部分の外周形状は略同一である。【選択図】図１
0003151470.tif 000002
【実用新案登録請求の範囲】
【請求項１】
無色透明のガラス部材からなり、内部に三次元オブジェが形成されている本体部と、
有色のガラス部材を含み、前記本体部の下方に前記本体部と接合一体化されてなる土台部とを備え、
前記本体部と前記土台部との間の接合部分の外周形状は略同一である
ガラス置物。
【請求項２】
前記ガラス置物は、少なくとも６つの側面と底面とを有する立体形状であり、
前記側面は、互いに対向する前面及び背面と、互いに対向する左面及び右面と、前記背面及び前記左面の間に設けられた左後方切欠き面と、前記背面及び前記右面の間に設けられた右後方切欠き面とを含む
請求項１に記載のガラス置物。
【請求項３】
前記左後方切欠き面及び前記右後方切欠き面は、前記前面と略４５度の角度をなす
請求項２に記載のガラス置物。
【請求項４】
前記側面は、さらに、前記前面及び前記左面の間に設けられた左前方切欠き面と、前記前面及び前記右面の間に設けられた右前方切欠き面とを含む
請求項２又は３に記載のガラス置物。
【請求項５】
前記左前方切欠き面及び前記右前方切欠き面は、前記後面と略４５度の角度をなす
請求項４に記載のガラス置物。
【請求項６】
前記ガラス置物は、直角柱形状である
請求項１〜５のいずれか１項に記載のガラス置物。
【請求項７】
前記ガラス置物は、水平断面の面積が上方に向かって徐々に小さくなる形状である
請求項１〜５のいずれか１項に記載のガラス置物。
【請求項８】
前記土台部は、有色であり、かつ、単色である透明のガラス部材からなる
請求項１〜７のいずれか１項に記載のガラス置物。
【考案の詳細な説明】
【技術分野】
【０００１】
本考案はガラス置物に関し、特に、内部に三次元オブジェが形成されたガラス置物に関する。
【背景技術】
【０００２】
従来、底面にアルミ等による反射面と、正面に対して斜方向に切欠いてなる切欠き面とを有するガラス置物であって、内部に三次元オブジェが形成されたガラス置物が提案されている（例えば、特許文献１参照）。特許文献１に記載のガラス置物は、プリズム効果を発揮することにより、視覚的に美しく見せることを実現している。
【先行技術文献】
【特許文献】
【０００３】
【特許文献１】実用新案登録第３０９５６５０号公報
【考案の概要】
【考案が解決しようとする課題】
【０００４】
しかしながら、特許文献１に記載のガラス置物は、特定の入射光がある場合にプリズム効果により色彩が変化するが、入射光が少ない場合などには色彩感に乏しくなるという問題があった。また、同一又は類似の三次元オブジェを有する同形状のガラス置物において、特許文献１に記載のガラス置物では、色彩による違いによる複数のバリエーションのガラス置物を設けることはできないという問題もあった。
【０００５】
そこで、本考案は、上記課題を鑑みてなされたものであって、多様な色彩のバリエーションを実現するとともに、視覚的に優れた美観を発揮するガラス置物を提供することを目的とする。
【課題を解決するための手段】
【０００６】
上記の目的を達成するために、本考案に係るガラス置物は、無色透明のガラス部材からなり、内部に三次元オブジェが形成されている本体部と、有色のガラス部材を含み、前記本体部の下方に前記本体部と接合一体化されてなる土台部とを備え、前記本体部と前記土台部との間の接合部分の外周形状は略同一である。
【０００７】
これにより、同一又は類似の三次元オブジェが形成された本体部であっても、土台部の色を変更することにより、視覚的に異なる美観を発揮させることが可能となる。また、本体部と土台部とが接合一体化されるので、１つの部材で構成されているような視覚的効果により優れた美観を発揮することが可能となる。
【０００８】
また、前記ガラス置物は、少なくとも６つの側面と底面とを有する立体形状であり、前記側面は、互いに対向する前面及び背面と、互いに対向する左面及び右面と、前記背面及び前記左面の間に設けられた左後方切欠き面と、前記背面及び前記右面の間に設けられた右後方切欠き面とを含むことが好ましい。
【０００９】
これにより、土台部からの光が左右の後方切欠き面で反射されることにより、観賞者が前面の上方から見た場合、土台部の色が三次元オブジェの周辺に浮かび上がり、三次元オブジェを美しく見せることが可能となる。
【００１０】
また、前記左後方切欠き面及び前記右後方切欠き面は、前記前面と略４５度の角度をなすことが好ましい。
【００１１】
これにより、土台部の色が三次元オブジェの周辺に浮かび上がる効果が大きくなり、三次元オブジェをより美しく見せることが可能となる。
【００１２】
また、前記側面は、さらに、前記前面及び前記左面の間に設けられた左前方切欠き面と、前記前面及び前記右面の間に設けられた右前方切欠き面とを含むことが好ましい。
【００１３】
これにより、土台部からの光が左右の前方切欠き面でも反射されることにより、観賞者が、正面だけではなく側面又は背面から観賞した場合であっても、土台部の色が三次元オブジェの周辺に浮かび上がり、三次元オブジェを美しく見せることが可能となる。
【００１４】
また、前記左前方切欠き面及び前記右前方切欠き面は、前記後面と略４５度の角度をなすことが好ましい。
【００１５】
これにより、土台部の色が三次元オブジェの周辺に浮かび上がる効果がさらに大きくなり、三次元オブジェをより美しく見せることが可能となる。
【００１６】
また、前記ガラス置物は、直角柱形状であっても良い。
【００１７】
これにより、三次元オブジェに文字などが含まれる場合に、観賞者が正面から見た場合の文字の視認性を高めることができるので、表彰盾などのガラス置物に好適となる。
【００１８】
また、前記ガラス置物は、水平断面の面積が上方に向かって徐々に小さくなる形状であっても良い。
【００１９】
これにより、装飾性、美観性を高めることができ、トロフィーなどのガラス置物に好適となる。
【考案の効果】
【００２０】
上記説明から明らかなように、本考案に係るガラス置物は、多様な色彩を実現するとともに、視覚的に優れた美観を発揮することが可能となる。
【図面の簡単な説明】
【００２１】
【図１】本考案の実施の形態１に係るガラス置物を説明するための斜視図である。
【図２】（ａ）及び（ｂ）は、本考案の実施の形態１に係るガラス置物の平面図及び底面図である。
【図３】（ａ）及び（ｂ）は、本考案の実施の形態１に係るガラス置物の正面図及び背面図である。
【図４】（ａ）及び（ｂ）は、本考案の実施の形態１に係るガラス置物の左側面図及び右側面図である。
【図５】本考案の実施の形態２に係るガラス置物を説明するための斜視図である。
【図６】本考案の実施の形態２に係るガラス置物の正面図である。
【図７】（ａ）及び（ｂ）は、本考案の実施の形態２に係るガラス置物の平面図及び底面図である。
【考案を実施するための形態】
【００２２】
以下、本考案の実施の形態について、図面を参照しながら説明する。
【００２３】
（実施の形態１）
図１は、本考案の実施の形態１に係るガラス置物１００について説明するための斜視図である。図２（ａ）及び図２（ｂ）は、本考案の実施の形態１に係るガラス置物１００の平面図及び底面図である。図３（ａ）及び図３（ｂ）は、本考案の実施の形態１に係るガラス置物１００の正面図及び背面図である。図４（ａ）及び図４（ｂ）は、本考案の実施の形態１に係るガラス置物１００の左側面図及び右側面図である。
【００２４】
ガラス置物１００は、色つきのガラス部材からなる土台部１０１及び無色透明の光学ガラスからなる本体部１０２が、レーザ加工等により接合一体化されて構成されている。気体等の不純物が入らないように、土台部１０１と本体部１０２との接合面が研磨された後に、土台部１０１と本体部１０２とは接合一体化される。また、土台部１０１と本体部１０２との接合部分１０３の外周形状が略同一となるように、接合後に接合部分の外周が研磨される。このように土台部１０１と本体部１０２とが接合一体化されることにより、ガラス置物１００が１つの部材で構成されているかのような視覚的効果を発揮する。
【００２５】
土台部１０１は、青、緑、赤などの任意の色に着色された有色透明のガラス部材からなる。具体的には、土台部１０１は、例えば、緑色のガラス材料を用いて作成される。
【００２６】
本体部１０２は、無色透明のガラス部材からなる。具体的には、本体部１０２は、例えば、Ｋ９クラスの光学ガラスからなる。本体部１０２の内部には、三次元オブジェ１０３が形成されている。
【００２７】
三次元オブジェ１０３は、レーザ等を用いて本体部１０２の内部に小さな点状の傷を複数付けることにより形成される立体形状である。具体的には、三次元オブジェ１０３は、コンピュータ制御によりレーザの焦点を制御することによって、高温で気体となった複数の小さな点が任意の三次元形状を形成するように本体部１０２の内部に設けられたものである。このように三次元オブジェ１０３は、本体部１０２の内部に形成されるため、磨耗することがない。また、観賞者は、三次元オブジェ１０３をガラス置物１００の底面を含めてすべての方向より可視することができる。
【００２８】
なお、本実施の形態では、三次元オブジェ１０３は、アルファベットの「Ｅ」及びイルカの形状であるが、他の文字、肖像、地球儀又は世界地図等の立体形状であっても良い。
【００２９】
このような土台部１０１と本体部１０２とからなるガラス置物１００の形状は、６つの側面と上面１０９と底面１１０とに囲まれた六角柱形状である。６つの側面は、具体的には、互いに対向する前面１１１及び背面１１２と、互いに対向する左面１１３及び右面１１４と、背面１１２及び左面１１３の間に設けられた左後方切欠き面１１５と、背面１１２及び右面１１４の間に設けられた右後方切欠き面１１６とからなる。
【００３０】
ガラス置物１００の前面１１１等から入射した光の一部は、土台部１０１と本体部１０２との接合面で上方に反射する。そして、接合面で上方に反射した光は、左後方切欠き面１１５及び右後方切欠き面１１６で再び反射する。このように、ガラス置物１００が左後方切欠き面１１５及び右後方切欠き面１１６を有することにより、土台部１０１からの光を本体部１０１の内部で反射することが可能となる。つまり、図１に示すように、観賞者が正面の斜め上方からガラス置物１００を見た場合、土台部１０１の色が本体部１０２に形成された三次元オブジェ１０３の後方に浮かび上がるように見える。また、三次元オブジェ１０３の後方に浮かび上がった色は、上方に向かって徐々に色が薄くなる。このように土台部１０１の色が浮かび上がることにより、ガラス置物１００は、幻想的な外観となり、三次元オブジェ１０３を美しく見せることが可能となる。
【００３１】
また、ガラス置物１００では、主として土台部１０１と本体部１０２との接合面において反射した光が切欠き面で反射することによって、三次元オブジェ１０３の後方に土台部１０１の色が浮かび上がる。したがって、ガラス置物１００は、ガラス置物１００に入射する光の角度などに関わらず、三次元オブジェ１０３を美しく見せることができる。
【００３２】
また、図２（ａ）及び図２（ｂ）に示す平面図及び底面図から明らかなように、左後方切欠き面１１５と前面１１１とがなす角は略４５度であり、右後方切欠き面１１６と前面１１１とがなす角も略４５度である。その結果、左後方切欠き面１１５及び右後方切欠き面１１６で反射する光の量が増大するので、土台部１０１の色が本体部１０２に形成された三次元オブジェ１０３の後方に浮かび上がるように見える効果が増大する。
【００３３】
また、本実施の形態において、土台部１０１の高さＨ１は約１８ｍｍであり、本体部１０２の高さＨ２は約７０ｍｍである。すなわち、Ｈ１：Ｈ２は、約１：４である。このように、Ｈ１：Ｈ２は、１：３から１：５の範囲内であることが好ましく、特に１：４であることが好ましい。これにより、土台部１０１と本体部１０２との色彩的バランス、ガラス置物１００の安定感などを向上させるとともに、優れた美観を発揮させることが可能となる。
【００３４】
以上のように、実施の形態１に係るガラス置物１００は、土台部１０１の色及び本体部１０２の内部に形成された三次元オブジェ１０３を変更することにより、異なる美観を有する複数のバリエーションのガラス置物とすることが可能となる。つまり、本実施の形態に係るガラス置物１００は、色が異なる複数種類のガラス置物１００をすべて所持したいという所有者の収集欲を惹起することができる。
【００３５】
具体的には、例えば、科目ごとの試験の成績優秀な生徒に対する表彰盾として本実施の形態に係るガラス置物１００を贈呈してもよい。この場合、土台部１０１の色及び三次元オブジェ１０３の形状を科目ごとに変更することにより、科目ごとに異なった美観を発揮するが統一感のあるガラス置物１００を、成績優秀な生徒に贈呈することができる。例えば、英語の成績優秀者に贈呈されるガラス置物１００は、緑色の土台部１０１を有し、文字「Ｅ」が三次元オブジェ１０３に含まれる。一方、数学の成績優秀者に贈呈されるガラス置物１００は、黄色の土台部１０１を有し、文字「Ｍ」が三次元オブジェ１０３に含まれる。このように、土台部１０１の色及び三次元オブジェ１０３が異なるガラス置物１００を科目ごとに作成することにより、生徒は、科目ごとのガラス置物１００を所持したくなる。すなわち、ガラス置物１００は、生徒の向学心を高めることが可能となる。
【００３６】
（実施の形態２）
次に、本考案の実施の形態２について図面を用いて詳細に説明する。
【００３７】
実施の形態２に係るガラス置物２００は、実施の形態１に係るガラス置物１００と形状が異なるが、その他の部分の特徴は同一である。以下に、実施の形態１に係るガラス置物１００と異なる部分を中心に説明する。
【００３８】
図５は、本考案の実施の形態２に係るガラス置物２００を説明するための斜視図である。図６は、本考案の実施の形態２に係るガラス置物２００の正面図である。図７（ａ）及び図７（ｂ）は、本考案の実施の形態２に係るガラス置物２００の平面図及び底面図である。
【００３９】
なお、本実施の形態に係るガラス置物２００は、内部に形成された三次元オブジェ２０３を除いて、上下方向に伸びる中心線に対して略対称となる立体形状を有するので、背面図及び左右の側面図は図示を省略する。
【００４０】
ガラス置物２００は、青色透明のガラス部材からなる土台部２０１及び無色透明の光学ガラスからなる本体部２０２が、レーザ加工等により接合一体化されて構成されている。また、本体部２０２の内部には、地球儀を模した三次元オブジェ２０３が形成されている。
【００４１】
土台部２０１の高さは約２５ｍｍ、本体部２０２の高さ（土台部２０１との境界面から先端までの高さ）は約９．５ｃｍである。
【００４２】
また、ガラス置物２００は、８つの側面及び底面などに囲まれた立体形状を有する。８つの側面は、４つの矩形側面２０４と、４つの切欠き面２０５とからなる。
【００４３】
矩形側面２０４は、前面、背面、左面及び右面の一例であり、矩形状の側面である。
【００４４】
切欠き面２０５は、左前方切欠き面、右前方切欠き面、左後方切欠き面及び右後方切欠き面の一例であり、三角形状の側面である。
【００４５】
図７から明らかなように、矩形側面２０４と、その矩形側面２０４と隣り合う切欠き面２０５とが成す角度は略１３５度である。つまり、ガラス置物２００は、任意の矩形側面２０４を正面とした場合に、斜め後方に当該矩形側面２０４と略４５度の角度を成す２つの切欠き面２０５を有する。
【００４６】
したがって、実施の形態１に係るガラス置物１００と同様に、斜め後方に位置する切欠き面２０５で反射する光の量が増大するので、土台部２０１の色が本体部２０２に形成された三次元オブジェ２０３の後方に浮かび上がるように見える効果が顕著となる。さらに、本実施の形態に係るガラス置物２００は、どの矩形側面２０４を正面とした場合であっても、土台部２０１の色が三次元オブジェ２０３の周辺に浮かび上がるように見える効果を有する。さらに、切欠き面２０５を正面とした場合、矩形側面２０４が反射面となり、土台部２０１の色が浮かび上がるように見える。つまり、ガラス置物２００は、どの側面を正面としても、土台部２０１の色が浮かび上がる効果を奏する。
【００４７】
以上、本考案に係るガラス置物について、実施の形態に基づいて説明したが、本考案は、これらの実施の形態に限定されるものではない。本考案の趣旨を逸脱しない限り、当業者が思いつく各種変形を本実施の形態に施したものや、異なる実施の形態における構成要素を組み合わせて構築される形態も、本考案の範囲内に含まれる。
【００４８】
例えば、上記各実施の形態では、土台部は、単色の色つきガラス部材から構成されるが、複数の色からなる有色透明のガラス部材から構成されてもよい。また、土台部は、その一部に無色透明な部分を含んでもよい。
【００４９】
また、上記実施の形態１では、ガラス置物１００は、左後方と右後方とに切欠き面を有していたが、さらに、左前方と右前方とに切欠き面を有してもよい。また、そのような切欠き面の大きさは、互いに異なってもよい。
【００５０】
また、上記各実施の形態では、本体部にのみ三次元オブジェが形成されていたが、土台部にも三次元オブジェが形成されてもよい。
【産業上の利用可能性】
【００５１】
本考案は、例えば、表彰者に対して贈呈され、記念品となるガラス置物に適用することができる。
【符号の説明】
【００５２】
１００、２００  ガラス置物
１０１、２０１  土台部
１０２、２０２  本体部
１０３、２０３  三次元オブジェ
１０９  上面
１１０  底面
１１１  前面
１１２  背面
１１３  左面
１１４  右面
１１５  左後方切欠き面
１１６  右後方切欠き面
２０４  矩形側面
２０５  切欠き面
【図２】
0003151470.tif 000003
【図３】
0003151470.tif 000004
【図４】
0003151470.tif 000005
【図６】
0003151470.tif 000006
【図７】
0003151470.tif 000007
【図１】
0003151470.tif 000008
【図５】
0003151470.tif 000009
【手続補正書】
【提出日】平成21年4月15日(2009.4.15)
【手続補正１】
【補正対象書類名】明細書
【補正対象項目名】００１４
【補正方法】変更
【補正の内容】
【００１４】
また、前記左前方切欠き面及び前記右前方切欠き面は、前記背面と略４５度の角度をなすことが好ましい。
【手続補正２】
【補正対象書類名】明細書
【補正対象項目名】００３０
【補正方法】変更
【補正の内容】
【００３０】
ガラス置物１００の前面１１１等から入射した光の一部は、土台部１０１と本体部１０２との接合面で上方に反射する。そして、接合面で上方に反射した光は、左後方切欠き面１１５及び右後方切欠き面１１６で再び反射する。このように、ガラス置物１００が左後方切欠き面１１５及び右後方切欠き面１１６を有することにより、土台部１０１からの光を本体部１０２の内部で反射することが可能となる。つまり、図１に示すように、観賞者が正面の斜め上方からガラス置物１００を見た場合、土台部１０１の色が本体部１０２に形成された三次元オブジェ１０３の後方に浮かび上がるように見える。また、三次元オブジェ１０３の後方に浮かび上がった色は、上方に向かって徐々に色が薄くなる。このように土台部１０１の色が浮かび上がることにより、ガラス置物１００は、幻想的な外観となり、三次元オブジェ１０３を美しく見せることが可能となる。
【手続補正３】
【補正対象書類名】実用新案登録請求の範囲
【補正対象項目名】全文
【補正方法】変更
【補正の内容】
【実用新案登録請求の範囲】
【請求項１】
無色透明のガラス部材からなり、内部に三次元オブジェが形成されている本体部と、
有色のガラス部材を含み、前記本体部の下方に前記本体部と接合一体化されてなる土台部とを備え、
前記本体部と前記土台部との間の接合部分の外周形状は略同一である
ガラス置物。
【請求項２】
前記ガラス置物は、少なくとも６つの側面と底面とを有する立体形状であり、
前記側面は、互いに対向する前面及び背面と、互いに対向する左面及び右面と、前記背面及び前記左面の間に設けられた左後方切欠き面と、前記背面及び前記右面の間に設けられた右後方切欠き面とを含む
請求項１に記載のガラス置物。
【請求項３】
前記左後方切欠き面及び前記右後方切欠き面は、前記前面と略４５度の角度をなす
請求項２に記載のガラス置物。
【請求項４】
前記側面は、さらに、前記前面及び前記左面の間に設けられた左前方切欠き面と、前記前面及び前記右面の間に設けられた右前方切欠き面とを含む
請求項２又は３に記載のガラス置物。
【請求項５】
前記左前方切欠き面及び前記右前方切欠き面は、前記背面と略４５度の角度をなす
請求項４に記載のガラス置物。
【請求項６】
前記ガラス置物は、直角柱形状である
請求項１〜５のいずれか１項に記載のガラス置物。
【請求項７】
前記ガラス置物は、水平断面の面積が上方に向かって徐々に小さくなる形状である
請求項１〜５のいずれか１項に記載のガラス置物。
【請求項８】
前記土台部は、有色であり、かつ、単色である透明のガラス部材からなる
請求項１〜７のいずれか１項に記載のガラス置物。